(57)【特許請求の範囲】
【請求項１】
所定流路を流れる被測定流体の流れ情報を取得する流れセンサと、流量算出用情報を記憶する記憶手段と、前記流れセンサで取得した流れ情報と流量算出用情報とに基づいて被測定流体の流量を算出する流量算出手段と、情報を出力するための出力部と、を備える流量計であって、
前記記憶手段に予め記憶されていた暫定的な流量算出用情報が更新されているか否かを判定する判定手段と、
前記判定手段で暫定的な流量算出用情報が更新されていないものと判定された場合に前記出力部を介して警告情報を出力する警告情報出力手段と、
流量算出用情報を入力するための入力部と、をさらに備える、
流量計。
【請求項２】
前記判定手段で暫定的な流量算出用情報が更新されたものと判定された場合に、前記警告情報の出力を解除する警告情報解除手段を備える、
請求項１に記載の流量計。
【請求項３】
前記出力部を介して、前記流量算出手段で算出した被測定流体の流量に係る情報を出力する流量情報出力手段を備える、
請求項１又は２に記載の流量計。
【請求項４】
前記流量情報出力手段は、
前記判定手段で暫定的な流量算出用情報が更新されていないものと判定された場合においても、前記流量算出手段で算出した被測定流体の流量に係る情報を出力するものである、
請求項３に記載の流量計。
【請求項５】
前記流量情報出力手段は、
電源投入時から前記判定手段で暫定的な流量算出用情報が更新されたものと判定される時点まで、前記流量算出手段で算出した被測定流体の流量に係る情報を試運転情報として出力し、
前記判定手段で暫定的な流量算出用情報が更新されたものと判定された時点で前記試運転情報の出力を解除し、
前記判定手段で暫定的な流量算出用情報が更新されたものと判定された時点より後に、前記流量算出手段で算出した被測定流体の流量に係る情報を本稼働情報として出力する、
請求項４に記載の流量計。
【請求項６】
前記流量情報出力手段は、
前記判定手段で暫定的な流量算出用情報が更新されたものと判定された場合にのみ、前記流量算出手段で算出した被測定流体の流量に係る情報を出力するものである、
請求項３に記載の流量計。
【請求項７】
前記出力部は、
情報を文字で表示する文字表示部である、
請求項１から６の何れか一項に記載の流量計。
【請求項８】
前記出力部は、
情報を音声として出力する音声出力部である、
請求項１から６の何れか一項に記載の流量計。
【請求項９】
前記流量算出手段で算出した被測定流体の流量に係る情報を記憶する流量情報記憶手段を備える、
請求項１から８の何れか一項に記載の流量計。
【請求項１０】
前記流量情報記憶手段は、
前記流量計に取り外し可能に装着された不揮発性記憶手段であり、
前記不揮発性記憶手段で記憶した情報が外部の機器に読み込まれるように構成される、
請求項９に記載の流量計。
【請求項１１】
前記流量情報記憶手段で記憶した情報を前記流量計の外部の機器に伝送する通信手段を備える、
請求項９又は１０に記載の流量計。
【発明の詳細な説明】
【技術分野】
【０００１】
本発明は、流量計に関する。
【背景技術】
【０００２】
従来より、被測定流体の流量を測定するための技術が種々提案され、実用化されている。例えば、現在においては、ガスの使用状況下の条件（温度や圧力）に換算した質量流量を算出する流量計を採用することにより、ガス使用量やガス残量を正確に把握する技術が提案されている（特許文献１参照）。
【先行技術文献】
【特許文献】
【０００３】
【特許文献１】特開２００７−３０９７７８号公報
【発明の概要】
【発明が解決しようとする課題】
【０００４】
ところで、被測定流体の流量を測定するための流量計は、流れセンサで取得した被測定流体の流れ情報（流速や体積流量）と、流量算出用情報（ガス種補正係数、温度、圧力等の流量計側に関する所定のパラメータ）と、に基づいて、実際の使用環境に対応した被測定流体の流量を算出するように構成されるのが一般的である。近年においては多様な環境下で流量計が使用されることから、流量計の出荷時においては暫定的な流量算出用情報を不揮発性メモリ等に記憶させておき、使用環境やガス種に応じてユーザが流量算出用情報を更新できるようにしている。
【０００５】
ところが、従来の流量計においては、流量算出用情報の更新が必要であるにもかかわらず、ユーザがその更新の必要性に気付かない場合がある。このように流量算出用情報の更新がなされないまま流量計が使用されると、被測定流体の流量を正確に測定（算出）することができなくなり、種々の問題（例えば、実際のガス使用量よりも測定した量が少なくなることに起因するガス欠に伴うシステム稼動停止、実際のガス使用量よりも測定した量が多くなることに起因する不正確な課金、等）が発生する可能性がある。
【０００６】
本発明は、かかる事情に鑑みてなされたものであり、流量算出用情報の更新をユーザに促すことができ、実際の使用環境に対応した正確な流量測定を実現させることができる流量計を提供することを目的とする。
【課題を解決するための手段】
【０００７】
前記目的を達成するため、本発明に係る流量計は、所定流路を流れる被測定流体の流れ情報を取得する流れセンサと、流量算出用情報を記憶する記憶手段と、流れセンサで取得した流れ情報と流量算出用情報とに基づいて被測定流体の流量を算出する流量算出手段と、情報を出力するための出力部と、を備える流量計であって、記憶手段に予め記憶されていた暫定的な流量算出用情報が更新されているか否かを判定する判定手段と、判定手段で暫定的な流量算出用情報が更新されていないものと判定された場合に出力部を介して警告情報を出力する警告情報出力手段と、流量算出用情報を入力するための入力部と、をさらに備えるものである。
【０００８】
かかる構成を採用すると、現場で流量測定を開始する際に、記憶手段に予め記憶されていた暫定的な（デフォルトの）流量算出用情報が更新されているか否かを判定し、更新されていない場合には警告情報を出力してユーザに報知することができる。従って、ユーザは、警告情報を参照して暫定的な流量算出用情報が更新されていないことを知ることができるので、被測定流体の種類や使用環境に対応した流量算出用情報を入力部で入力して更新することができる。この結果、被測定流体の流量を正確に測定（算出）することができるので、流量の誤測定に起因した種々の問題（ガス欠や不正確な課金等）を解消することができる。
【０００９】
本発明に係る流量計において、判定手段で暫定的な流量算出用情報が更新されたものと判定された場合に警告情報の出力を解除する警告情報解除手段を備えることが好ましい。
【００１０】
かかる構成を採用すると、暫定的な流量算出用情報が更新された場合に、警告情報の出力解除（例えば出力部としての文字表示部に表示されていた警告情報を消去すること）によってユーザに報知することができる。従って、ユーザは、暫定的な流量算出用情報が使用環境に対応した新たな流量算出用情報に更新されたことを確認することができる。
【００１１】
また、本発明に係る流量計において、出力部を介して流量算出手段で算出した被測定流体の流量に係る情報を出力する流量情報出力手段を備えることもできる。
【００１２】
かかる構成を採用すると、被測定流体の流量に係る情報（例えば瞬時流量や積算流量）をユーザに報知することができる。
【００１３】
流量情報出力手段としては、判定手段で暫定的な流量算出用情報が更新されていないものと判定された場合においても流量算出手段で算出した被測定流体の流量に係る情報を出力するものを採用することができる。
【００１４】
かかる構成を採用すると、暫定的な流量算出用情報を反映させて算出した（いわば暫定的な）流量情報を、参考情報として出力してユーザに報知することができる。
【００１５】
また、流量情報出力手段としては、電源投入時から判定手段で暫定的な流量算出用情報が更新されたものと判定される時点まで、流量算出手段で算出した被測定流体の流量に係る情報を試運転情報として出力し、判定手段で暫定的な流量算出用情報が更新されたものと判定された時点で試運転情報の出力を解除し、判定手段で暫定的な流量算出用情報が更新されたものと判定された時点より後に、流量算出手段で算出した被測定流体の流量に係る情報を本稼働情報として出力するものを採用することもできる。
【００１６】
かかる構成を採用すると、暫定的な流量算出用情報を反映させて算出した（いわば暫定的な）流量情報を試運転情報として出力することができる。また、暫定的な流量算出用情報が更新された場合には、その時点で試運転情報をリセットして、現場の環境に対応した新たな流量算出用情報を反映させて算出した正確な流量情報を本稼働情報として出力することができる。
【００１７】
また、流量情報出力手段としては、判定手段で暫定的な流量算出用情報が更新されたものと判定された場合にのみ、流量算出手段で算出した被測定流体の流量に係る情報を出力するものを採用してもよい。
【００１８】
かかる構成を採用すると、現場の環境に対応した流量算出用情報を反映させて算出した正確な流量情報のみを出力してユーザに報知することができる。
【００１９】
また、本発明に係る流量計において、情報を文字で表示する文字表示部を出力部として採用することができる。
【００２０】
かかる構成を採用すると、ユーザは、文字表示部を介して、警告情報や流量に係る情報を視覚的に認識することができる。
【００２１】
また、本発明に係る流量計において、情報を音声として出力する音声出力部を採用してもよい。
【００２２】
かかる構成を採用すると、ユーザは、音声出力部を介して、警告情報や流量に係る情報を聴覚的に認識することができる。
【００２３】
また、本発明に係る流量計において、流量算出手段で算出した被測定流体の流量に係る情報を記憶する流量情報記憶手段を備えることができる。
【００２４】
かかる構成を採用すると、被測定流体の流量に係る情報（例えば瞬時流量や積算流量）を記憶しておくことができる。従って、例えば、暫定的な流量算出用情報が更新される前の積算流量（試運転情報）と、暫定的な流量算出用情報が更新された後の積算流量（本稼動情報）と、を比較することが可能となる。
【００２５】
また、本発明に係る流量計において、流量計に取り外し可能に装着された不揮発性記憶手段を流量情報記憶手段として採用し、不揮発性記憶手段で記憶した情報が外部の機器に読み込まれるように構成することができる。
【００２６】
かかる構成を採用すると、流量計から取り外した流量情報記憶手段に記憶された流量情報を外部の機器で読み込んで、有効活用することができる。
【００２７】
また、本発明に係る流量計において、流量情報記憶手段で記憶した情報を流量計の外部の機器に伝送する通信手段を備えてもよい。
【００２８】
かかる構成を採用すると、流量情報記憶手段に記憶された流量情報を、流量計の外部の機器に伝送して、有効活用することができる。
【発明の効果】
【００２９】
本発明によれば、流量算出用情報の更新をユーザに促すことができ、実際の使用環境に対応した正確な流量測定を実現させることができる流量計を提供することが可能となる。
【図面の簡単な説明】
【００３０】
【図１】本発明の実施形態に係る流量計の斜視図である。
【図２】図１に示す流量計の計測部をボディ部から分離させた状態を示す斜視図である。
【図３】（Ａ）は図１の流量計の正面図であり、（Ｂ）は図１の流量計の側面図（（Ａ）の矢印Ｂ方向から見た図）であり、（Ｃ）は図１の流量計の平面図（（Ａ）の矢印Ｃ方向から見た図）である。
【図４】図３（Ｂ）の流量計のIV-IV部分における断面図である。
【図５】図１の流量計の計測部に設けられた流れセンサを示す斜視図である。
【図６】図５の流れセンサをVI-VI方向から見た場合の端面図である。
【図７】図１の流量計の計測部に設けられた制御部の機能的構成を示すブロック図である。
【図８】（Ａ）は７セグメントディスプレイに表示された流量情報の一例を示す図であり、（Ｂ）は７セグメントディスプレイに表示された警告情報の一例を示す図である。
【図９】図１の流量計で算出された積算流量の時間履歴を示すタイムチャートである。
【図１０】７セグメントディスプレイに表示された警告表示の他の例を示す図である。
【発明を実施するための形態】
【００３１】
以下、図面を参照して、本発明の実施形態に係る流量計について説明する。本実施形態に係る流量計は、ガス（被測定流体）の瞬時流量を検出するとともに、検出した瞬時流量を積算してガスの使用量を算出する積算流量計である。
【００３２】
本実施形態に係る流量計１は、図１〜図４に示すように、ガスが流通する配管Ｐの一部に取り付けられて流路を形成するボディ部２と、流れセンサ１２等を有しボディ部２に接続される計測部３と、を主たる構成として備えている。
【００３３】
ボディ部２は、図２〜図４に示すように略直方体形状を呈する筐体であり、ガスが流通する断面円形の管路７、管路７の途中に形成された絞り機構８、管路７の上側（計測部３が接続される側）であって絞り機構８を挟んで上流側及び下流側の位置に形成され管路７と外部とを連通させる分岐流路９、１０等を有している。管路７の上流側及び下流側には、配管Ｐが捩じ込み接続される。絞り機構８は、管路７の内径よりも小さい内径を有しており、上流側の配管Ｐから下流側の配管Ｐへと流通するガスの流量を絞るように機能する。
【００３４】
ボディ部２の上面には、図２及び図４に示すように、平面視略円形状で所定深さの凹部２ａが形成されており、この凹部２ａには、計測部３のバイパス流路形成部３ｂ（後述）が嵌め込まれる。絞り機構８よりも上流側に配置された分岐流路９は、ボディ内部側の小径部とボディ外部側の大径部とから構成されており、バイパス流路形成部３ｂのバイパス流路３ｃ（後述）に連通接続される。絞り機構８よりも下流側に配置された分岐流路１０も同様にボディ内部側の小径部とボディ外部側の大径部とから構成され、バイパス流路３ｃに連通接続される。
【００３５】
計測部３は、図１〜図４に示すように略直方体形状を呈する筐体を有しており、この筐体の上側（ボディ部２と反対側）には、表示部４ａ及び操作部４ｂを有する表示操作パネル４が設けられている。表示部４ａは、図７に示すように、各種情報を最大５桁の数字又は英字で表示する７セグメントディスプレイ４１を有している。７セグメントディスプレイ４１は、検出したガスの流量に係る情報を表示するほか、後述する警告情報等の各種情報を表示するものであり、本発明における出力部及び文字表示部として機能する。操作部４ｂは、後述する流量算出用情報等の各種情報を入力するための各種キー（ＥＮＴＥＲキー５１、ＭＯＤＥキー５２、ＵＰキー５３、ＤＯＷＮキー５４）を有しており、本発明における入力部として機能する。
【００３６】
計測部３を構成する筐体の側面には、給電用及び各種信号送受信用のケーブルＣを接続させるためのケーブル接続部５が設けられている。また、計測部３を構成する筐体の下側（流量計ボディ部２が接続される側）には、板状部３ａが固定されている。図２及び図４に示すように、計測部３の板状部３ａと、ボディ部２に形成され相互に重ねられたネジ孔と、にネジ６が螺入されることにより、計測部３がボディ部２に固定される。
【００３７】
計測部３の板状部３ａとボディ部２との間には、図４に示すように、バイパス流路形成部３ｂが配置される。バイパス流路形成部３ｂは、ボディ部２の凹部２ａに嵌め込まれるような平面視略円形状の薄型の部材であり、その下面には、ボディ部２の分岐流路９、１０に連通接続されるバイパス流路３ｃが形成されている。ボディ部２の上流側の管路７を流通するガスは、その一部が上流側の分岐流路９を経由して計測部３のバイパス流路３ｃに流入し、その後、ボディ部２の下流側の分岐流路１０を経由して下流側の管路７にバイパスされるようになっている。なお、ボディ部２の凹部２ａ内であってバイパス流路形成部３ｂの周囲には、図２及び図４に示すようなパッキン１１が嵌め込まれ、このパッキン１１により、計測部３の板状部３ａとボディ部２の凹部２ａとから形成される空間の気密性が確保される。
【００３８】
計測部３の底面に固定された板状部３ａの中央部には、流れセンサ１２が設けられている。流れセンサ１２は、バイパス流路３ｃを流通するガスの流れ情報（流速や体積流量）を検出するものである。流れセンサ１２としては、種々の構成を採用することができ、本実施形態においては、半導体ダイヤフラムを有する熱式流量センサを採用している。
【００３９】
すなわち、流れセンサ１２は、図５及び図６に示すように、キャビティ２６が設けられた基板２０、基板２０上にキャビティ２６を覆うように配置された絶縁膜２５、絶縁膜２５に設けられたヒータ２１、ヒータ２１より上流側に設けられた上流側測温抵抗素子２２、ヒータ２１より下流側に設けられた下流側測温抵抗素子２３、上流側測温抵抗素子２２より上流側に設けられた周囲温度センサ２４等を有している。
【００４０】
絶縁膜２５のキャビティ２６を覆う部分は、断熱性のダイヤフラムを構成している。周囲温度センサ２４は、バイパス流路３ｃに流入してきた流体の温度を測定する。ヒータ２１は、キャビティ２６を覆う絶縁膜２５の中心に配置されており、バイパス流路３ｃに流れる流体を、周囲温度センサ２４が計測した温度よりも一定温度（例えば１０℃）高くなるように、加熱する。上流側測温抵抗素子２２はヒータ２１より上流側の温度を検出するために用いられ、下流側測温抵抗素子２３はヒータ２１より下流側の温度を検出するために用いられる。
【００４１】
ここで、バイパス流路３ｃ中の流体が静止している場合、ヒータ２１で加えられた熱は、上流方向と下流方向へ対称的に拡散する。従って、上流側測温抵抗素子２２及び下流側測温抵抗素子２３の温度は等しくなり、上流側測温抵抗素子２２及び下流側測温抵抗素子２３の電気抵抗は等しくなる。これに対し、バイパス流路３ｃ中の流体が上流から下流に流れている場合、ヒータ２１で加えられた熱は、下流方向に運ばれる。従って、上流側測温抵抗素子２２の温度よりも、下流側測温抵抗素子２３の温度が高くなる。そのため、上流側測温抵抗素子２２の電気抵抗と下流側測温抵抗素子２３の電気抵抗との間に差が生じる。下流側測温抵抗素子２３の電気抵抗と上流側測温抵抗素子２２の電気抵抗の差は、バイパス流路３ｃ中の流体の速度や流量と相関関係がある。そのため、下流側測温抵抗素子２３の電気抵抗と上流側測温抵抗素子２２の電気抵抗の差から、バイパス流路３ｃを流れる流体の速度や流量が算出される。
【００４２】
図５及び図６に示す基板２０の材料としては、シリコン(Ｓｉ)等が使用可能である。絶縁膜２５の材料としては、酸化ケイ素(ＳｉＯ2)等が使用可能である。キャビティ２６は、異方性エッチング等により形成される。またヒータ２１、上流側測温抵抗素子２２、下流側測温抵抗素子２３及び周囲温度センサ２４の各材料には白金(Ｐｔ)等が使用可能であり、リソグラフィ法等により形成可能である。
【００４３】
また、計測部３は、流量計１の各種電子機器を統合制御する制御部３０（図７）を有している。制御部３０は、図７に示すように、中央演算処理装置（以下、「ＣＰＵ」という）３１、設定操作や演算処理のためのアルゴリズムのほか各種制御プログラム等が予め書き込まれているＲＯＭ３２、不揮発性メモリとしてのＥＥＰＲＯＭ３３、各種情報を一時的に記憶するＲＡＭ３４、流量計１の外部との間で制御信号等の入出力を行う入出力インターフェース３５、流量計１の外部との間で情報の送受信を行う通信部３６等を有している。ＥＥＰＲＯＭ３３は、流量算出用情報（ガス種補正係数、温度、圧力等の流量計側に関する所定のパラメータ）等の各種情報を記憶するものであり、本発明における記憶手段として機能する。本実施形態においては、流量計１の出荷時に、デフォルトの（暫定的な）流量算出用情報をＥＥＰＲＯＭ３３に記憶させておき、使用環境やガス種に応じてユーザが流量算出用情報を更新できるようにしている。ＲＡＭ３４は、算出されたガスの流量に係る情報を一時的に記憶するものであり、本発明における流量情報記憶手段として機能する。
【００４４】
ＣＰＵ３１は、ＲＯＭ３２内の各種制御プログラムを読み込んで、種々の情報処理や機器の制御を行う。具体的には、ＣＰＵ３１は、流量計１の電源が投入されると同時に流れセンサ１２によるガスの流れ情報の取得を開始させ、流れセンサ１２で取得した流れ情報とＥＥＰＲＯＭ３３に記憶された流量算出用情報とに基づいてガスの流量（瞬時流量や積算流量）を算出する。なお、ＣＰＵ３１は、流れセンサ１２における検出値（バイパス流路３ｃを流通するガスの流量）を、所定の変換式を用いて、配管Ｐを流通するガスの流量に変換している。また、ＣＰＵ３１は、例えば図８（Ａ）に示すように、算出した流量に係る情報（積算流量「１００（Ｌ）」）を７セグメントディスプレイ４１に表示するとともにＲＡＭ３４に一時的に記憶させる。すなわち、ＣＰＵ３１は、本発明における流量算出手段及び流量情報出力手段として機能する。
【００４５】
また、ＣＰＵ３１は、ＥＥＰＲＯＭ３３に予め記憶されていたデフォルトの流量算出用情報が更新されているか否かを判定し、暫定的な流量算出用情報が更新されていないものと判定した場合に、警告情報（例えば図８（Ｂ）に示すような警告メッセージ「ＡＬＡ」）を７セグメントディスプレイ４１に表示する。本実施形態において、ＣＰＵ３１は、流量情報と警告情報とを交互に７セグメントディスプレイ４１に表示することにより、暫定的な流量算出用情報が更新されていない旨をユーザに報知することとしている。すなわち、ＣＰＵ３１は、本発明における判定手段及び警告情報出力手段として機能する。
【００４６】
また、ＣＰＵ３１は、流量測定前にユーザが操作部４ｂを介して新たな流量算出用情報を入力すること等により暫定的な流量算出用情報が更新された場合に、７セグメントディスプレイ４１に表示された警告情報を消去する（警告情報の出力解除）。すなわち、ＣＰＵ３１は、本発明における警告情報解除手段としても機能する。
【００４７】
なお、本実施形態におけるＣＰＵ３１は、図９のタイムチャートに示すように、流量計１の現場設置後の電源投入時Ｔ1から、暫定的な流量算出用情報が更新された時点Ｔ2まで、暫定的な流量算出用情報を用いてガスの積算流量を算出し、算出した積算流量を試運転情報として７セグメントディスプレイ４１に表示する。そして、ＣＰＵ３１は、暫定的な流量算出用情報が更新された時点Ｔ2でそれまで表示していた暫定的な積算流量をリセットし（試運転情報の出力解除）、その時点Ｔ2より後に新たな流量算出用情報を用いて算出したガスの積算流量を本稼働情報として７セグメントディスプレイ４１に表示することとしている。
【００４８】
以上説明した実施形態に係る流量計１においては、現場で流量測定を開始する際に、ＥＥＰＲＯＭ３３に予め記憶されていた暫定的な（デフォルトの）流量算出用情報が更新されているか否かを判定し、更新されていない場合には警告情報を７セグメントディスプレイ４１に表示してユーザに報知することができる。従って、ユーザは、警告情報を参照して暫定的な流量算出用情報が更新されていないことを知ることができるので、ガス種や使用環境に対応した流量算出用情報を操作部４ｂで入力して更新することができる。この結果、ガスの流量を正確に測定（算出）することができるので、流量の誤測定に起因した種々の問題（ガス欠や不正確な課金等）を解消することができる。
【００４９】
また、以上説明した実施形態に係る流量計１においては、暫定的な流量算出用情報が更新された場合に、７セグメントディスプレイ４１に表示されていた警告情報を消去してユーザに報知することができる。従って、ユーザは、暫定的な流量算出用情報が使用環境に対応した新たな流量算出用情報に更新されたことを確認することができる。
【００５０】
また、以上説明した実施形態に係る流量計１においては、暫定的な流量算出用情報を反映させて算出した（いわば暫定的な）流量情報を試運転情報として７セグメントディスプレイ４１に表示することができる。また、暫定的な流量算出用情報が更新された場合には、その時点で試運転情報をリセットして、現場の環境に対応した新たな流量算出用情報を反映させて算出した正確な流量情報を本稼働情報として７セグメントディスプレイ４１に表示することができる。
【００５１】
また、以上説明した実施形態に係る流量計１においては、ガスの積算流量をＲＡＭ３４に記憶しておくことができる。従って、暫定的な流量算出用情報が更新される前の積算流量（試運転情報）と、暫定的な流量算出用情報が更新された後の積算流量（本稼動情報）と、を比較することが可能となる。
【００５２】
なお、本実施形態においては、警告情報として、図８（Ｂ）に示すような警告メッセージ「ＡＬＡ」を採用し、このような警告メッセージを流量表示と交互に７セグメントディスプレイ４１に表示した例を示したが、警告情報の表示態様はこれに限られるものではない。例えば、図１０（Ａ）に示すような「Ｅ」（"Error"）という文字を流量表示と交互に７セグメントディスプレイ４１に表示してもよい。また、図１０（Ｂ）に示すように、７セグメントディスプレイ４１とは別に警告表示灯４２を表示部４ａに設けておき、暫定的な流量算出用情報が更新されていないものと判定した場合に警告表示灯４２を点灯させることもできる。また、文字数制限等の表示上の制約がある場合には、特定の表示コード（例えば「Ａ１」等）で警告メッセージを代用してもよい。
【００５３】
また、本実施形態においては、暫定的な流量算出用情報が更新されていない場合においても、暫定的な流量情報を試運転情報として７セグメントディスプレイ４１に表示した例を示したが、暫定的な流量算出用情報が更新された場合にのみ流量情報を表示することにしてもよい。かかる構成を採用すると、現場の環境に対応した流量算出用情報を反映させて算出した正確な流量情報のみをユーザに報知することができる。
【００５４】
また、本実施形態においては、出力部として、文字表示部としての７セグメントディスプレイ４１を採用した例を示したが、出力部の態様はこれに限定されるものではない。例えば、警告情報を音声として出力する音声出力部を採用することもできる。かかる構成を採用すると、ユーザは、音声出力部を介して、警告情報や流量に係る情報を聴覚的に認識することができる。
【００５５】
また、本実施形態においては、算出した流量に係る情報をＲＡＭ３４に記憶させた例を示したが、このような流量情報をＥＥＰＲＯＭ３３に記憶させることもできる。かかる場合において、ＥＥＲＰＯＭ３３は本発明における流量情報記憶手段として機能する。また、流量情報をＥＥＰＲＯＭ３３に記憶させる場合において、ＥＥＰＲＯＭ３３を流量計１に対して取り外し可能に構成し、ＥＥＰＲＯＭ３３に記憶させた流量情報を、外部の機器によって読み込ませるように構成することもできる。このような構成を採用すると、流量計１から取り外したＥＥＰＲＯＭ３３に記憶された流量情報を、外部の機器で読み込んで有効活用することができる。さらに、ＥＥＰＲＯＭ３３に記憶させた流量情報を、通信部３６を介して外部の機器に伝送するような構成を採用してもよい。かかる構成を採用すると、ＥＥＰＲＯＭ３３に記憶された流量情報を、流量計１の外部の機器に伝送して、有効活用することができる。かかる場合、ＣＰＵ３１及び通信部３６は本発明における通信手段を構成する。
【００５６】
また、本実施形態においては、流れセンサとして熱式流量センサを採用した例を示したが、かかる熱式流量センサに代えて、他の方式（超音波式や電磁式）の流量センサを流れセンサとして採用することもできる。また、本実施形態においては、本発明を気体流量計に適用した例を示したが、液体の流量を検出する流量計に本発明を適用することもできる。その他、本発明を、その要旨を逸脱しない範囲で種々変形して実施することが可能である。なお、以上の説明において用いた「上」及び「下」という語は便宜的な表現であり、必ずしも重力方向に対する方向の限定を表すものではない。
【符号の説明】
【００５７】
１…流量計
３ｃ…バイパス流路（所定流路）
４ｂ…操作部（入力部）
１２…流れセンサ
３１…ＣＰＵ（流量算出手段、判定手段、警告情報出力手段、警告情報解除手段、流量情報出力手段、通信手段）
３３…ＥＥＰＲＯＭ（記憶手段、流量情報記憶手段、不揮発性記憶手段）
３４…ＲＡＭ（流量情報記憶手段）
３６…通信部（通信手段）
４１…７セグメントディスプレイ（出力部、文字表示部）。
【図１】
0005449226.tif 000002
【図２】
0005449226.tif 000003
【図３】
0005449226.tif 000004
【図４】
0005449226.tif 000005
【図５】
0005449226.tif 000006
【図６】
0005449226.tif 000007
【図７】
0005449226.tif 000008
【図８】
0005449226.tif 000009
【図９】
0005449226.tif 000010
【図１０】
0005449226.tif 000011